(57)【要約】【課題】簡便に取付けることができ、取付け前の運搬時の利便性が高く、耐震性に優れたパネルを提供する。【解決手段】パネル１は、木造建築物の構造躯体の片面に釘で打ち付けて取付けられるものであり、構造躯体に対して斜め方向に複数の板材２が接合されて形成された板材接合体３からなるものである。屋根材、床材として使用される場合には、板材接合体３の周縁に沿って四角形状に形成された補助部４を備えている。補強部４は木材を組み合わせて形成されており、２つの縦補助部材４ａと、２つの縦補助部材４ａのそれぞれの両端を連結する２つの横補助部材４ｂとによって構成されている。補助部４を構成する木材の厚みは、板材接合体３を構成する板材の厚み以下のように、薄い木材を用いることができる。【選択図】図１
0003198051.tif 000002
【実用新案登録請求の範囲】
【請求項１】
木造建築物の構造躯体の片面に取付けられるパネルであって、構造躯体に対して斜め方向に複数の板材が接合されて形成された板材接合体からなることを特徴とするパネル。
【請求項２】
屋根材または床材として使用されるパネルであって、前記板材接合体の周縁に沿って四角形状に形成された補助部を備えていることを特徴とする請求項１記載のパネル。
【請求項３】
壁材として使用されるパネルであって、前記板材接合体の片面に接するように取り付けられ、２つの間欠部を有する四角形状に形成された補助部を備えていることを特徴とする請求項１記載のパネル。
【考案の詳細な説明】
【技術分野】
【０００１】
本考案は、木造建築物の構造躯体の片面に取付けられて、屋根材、床材、または壁材として使用されるパネルに関する。
【背景技術】
【０００２】
木造建築物の屋根材、床材、または壁材として使用されるパネルに関する技術について、本考案者による発明が、特許文献１、特許文献２に記載されている。
【先行技術文献】
【特許文献】
【０００３】
【特許文献１】特開２０１４−２１８８３１号公報
【特許文献２】特開２０１３−１３００５４号公報
【考案の概要】
【考案が解決しようとする課題】
【０００４】
特許文献１、特許文献２に記載されているものはいずれも、上枠材と下枠材と左側縦枠材と右側縦枠材とによって形成される矩形状の矩形枠体の片面側に、上枠材と下枠材とに対して斜め方向に取り付けられた複数の板材とを備えたパネルであり、矩形枠体を用いていることに一つの特徴がある。
【０００５】
特許文献１、特許文献２に記載されているものは、耐震性に優れたものである点において優位性があるが、構造躯体にはめ込むための精度が要求される。
本考案は、このような事情を考慮してなされたもので、より簡便に取付けることができ、取付け前の運搬時の利便性が高く、耐震性に優れたパネルを提供することを目的とする。
【課題を解決するための手段】
【０００６】
以上の課題を解決するために、本考案のパネルは、木造建築物の構造躯体の片面に取付けられるパネルであって、構造躯体に対して斜め方向に複数の板材が接合されて形成された板材接合体からなることを特徴とする。
【０００７】
木造建築物の構造躯体の片面に取付けられるものであるため、特許文献１、特許文献２に記載されているもののように、構造躯体にはめ込むための精度は必要なく、取付けが簡単であり、作業性が向上するとともに、斜め方向に複数の板材が接合されて形成された板材接合体を形成することにより、耐震性を確保することができる。
また、特許文献１、特許文献２に記載されているもののように、枠体を用いていないため、パネルの厚みを薄くすることができ、運搬の際の利便性が高い。
【０００８】
本考案のパネルにおいては、屋根材または床材として使用されるパネルについて、前記板材接合体の周縁に沿って四角形状に形成された補助部を備えている構造とすることができる。
【０００９】
板材接合体の周縁に沿って四角形状に形成された補助部を備えていることにより、取付け前の運搬時の強度を確保して変形を防止し、運搬時に破損しないパネルとすることができる。
【００１０】
本考案のパネルにおいては、壁材として使用されるパネルについて、前記板材接合体の片面に接するように取り付けられ、２つの間欠部を有する四角形状に形成された補助部を備えている構造とすることができる。
【００１１】
壁材として使用する場合には、壁の下地材である間柱の邪魔にならないようにパネルを取り付ける必要があるが、２つの間欠部を有する四角形状に形成された補助部を、板材接合体の片面に接するように設けることにより、間柱の邪魔にならずに、取付け前の運搬時の強度を確保して変形を防止し、運搬時に破損しないパネルとすることができる。
【考案の効果】
【００１２】
本考案によると、簡便に取付けることができ、取付け前の運搬時の利便性が高く、耐震性に優れたパネルを実現することができる。
【図面の簡単な説明】
【００１３】
【図１】本考案のパネルを床パネル、屋根パネルとして用いた例を示す図である。
【図２】本考案のパネルを壁パネルとして用いた例を示す図である。
【図３】本考案のパネルを構造躯体に取付けた状態を示す図である。
【考案を実施するための形態】
【００１４】
以下に、本考案のパネルを、その実施形態に基づいて説明する。
図１に、本考案のパネルを床材、屋根材として用いた例を示す。
図１（ａ）は、パネルの正面図、図１（ｂ）は、図１（ａ）のＡ―Ａ断面図、図１（ｃ）は、図１（ａ）のＢ―Ｂ断面図、図１（ｄ）は、補助部を示す。
【００１５】
パネル１は、木造建築物の構造躯体の片面に釘で打ち付けて取付けられるものであり、屋根材、床材として使用され、構造躯体に対して斜め方向に複数の板材２が接合されて形成された板材接合体３からなるものである。
【００１６】
板材接合体３の周縁に沿って四角形状に形成された補助部４を備えている。補強部４は木材を組み合わせて形成されており、２つの縦補助部材４ａと、２つの縦補助部材４ａのそれぞれの両端を連結する２つの横補助部材４ｂとによって構成されている。
【００１７】
補助部４を構成する木材の厚みは、板材接合体３を構成する板材の厚み以下のように、薄い木材を用いることができる。一例として、１０ｍｍ×２７ｍｍの小さい木材を、補助部４を構成する木材として使用し、板材接合体３を形成する板材２の厚みを２７ｍｍ程度とし、補助部４を構成する木材の厚みを１０ｍｍ程度とすることができる。補助部４は、特許文献１、特許文献２に記載されている枠体と異なり、取付け前の運搬時の強度を確保することが目的であるため、このような薄い木材を用いても十分にその機能を発揮する。
【００１８】
パネル１を屋根材として用いる場合には、斜めに張った板材２がそのまま天井仕上げ材となるため、天井仕上げをする必要が無く、工期の短縮とコストの低減を図ることができる。また、仕上げ材を張る必要が無いため、地震が発生した際に、見た目で損傷の有無を確認することができる。
【００１９】
図２に、本考案のパネルを壁材として用いた例を示す。
図２（ａ）は、パネルの正面図、図２（ｂ）は、図２（ａ）のＡ―Ａ断面図、図２（ｃ）は、図２（ａ）のＢ―Ｂ断面図、図２（ｄ）は、補助部を示す。
【００２０】
パネル１は、木造建築物の構造躯体の片面に釘で打ち付けて取付けられるものであり、壁材として使用され、構造躯体に対して斜め方向に複数の板材２が接合されて形成された板材接合体３からなるものである。
【００２１】
板材接合体３の片面に接するように、補助部４が設けられている。補助部４は、２つの間欠部５を有する四角形状に形成されている。補強部４は木材を組み合わせて形成されており、縦補助部材４ａと、縦補助部材４ａの両端に連結された２つの横補助部材４ｂによって形成されるコの字型部材６ａと、縦補助部材４ａと、縦補助部材４ａの両端に連結された２つの横補助部材４ｂによって形成される逆コの字型部材６ｂとが、間欠部５を挟んで対向するように配置されて構成されている。このように補助部４を構成することにより、構造躯体にパネル１を取り付けたときに、間柱の邪魔にならずに取り付けることができる。
【００２２】
補助部４を構成する木材の厚みは、板材接合体３を構成する板材の厚み以下のように、薄い木材を用いることができる。一例として、１０ｍｍ×４５ｍｍの薄い木材を、補助部４を構成する木材として使用し、板材接合体３を形成する板材２の厚みを１５ｍｍ程度とし、補助部４を構成する木材の厚みを１０ｍｍ程度とすることができる。補助部４は、特許文献１、特許文献２に記載されている枠体と異なり、取付け前の運搬時の強度を確保することが目的であるため、このような薄い木材を用いても十分にその機能を発揮する。
【００２３】
図３に、本考案のパネルを構造躯体に取付けた状態を示す。
パネル１は、屋根パネル７、床パネル８、壁パネル９としてそれぞれ用いられ、構造躯体（母屋）１０、構造躯体（登り梁）１１、構造躯体（床梁）１２、構造躯体（軒桁）１３、構造躯体（柱）１４、構造躯体（胴差）１５、構造躯体（間柱）１６、構造躯体（土台）１７、構造躯体（大引）１８に対してそれぞれ取付けられて使用される。パネル１は、それぞれの構造躯体の片面に釘で打ち付けて取付けられるため、構造躯体にはめ込むもののような精度は必要ではなく、取付けを容易に行うことができるため、作業性が向上する。
【００２４】
壁パネル９として用いる場合には、図３に示すように、壁の下地材である間柱１６の邪魔にならないように取り付ける必要があるが、２つの間欠部５を有する四角形状に形成された補助部４を、板材接合体３の片面に接するように設けることにより、間柱１６の邪魔にならずに、取付け前の運搬時の強度を確保して変形を防止し、運搬時に破損しないパネルとすることができる。
【産業上の利用可能性】
【００２５】
本考案は、簡便に取付けることができ、取付け前の運搬時の利便性が高く、耐震性に優れたパネルとして、建築用に広く利用することができる。
【符号の説明】
【００２６】
１  パネル
２  板材
３  板材接合体
４  補助部
４ａ  縦補助部材
４ｂ  横補助部材
５  間欠部
６ａ  コの字型部材
６ｂ  逆コの字型部材
７  屋根パネル
８  床パネル
９  壁パネル
１０  構造躯体（母屋）
１１  構造躯体（登り梁）
１２  構造躯体（床梁）
１３  構造躯体（軒桁）
１４  構造躯体（柱）
１５  構造躯体（胴差）
１６  構造躯体（間柱）
１７  構造躯体（土台）
１８  構造躯体（大引）
【図１】
0003198051.tif 000003
【図２】
0003198051.tif 000004
【図３】
0003198051.tif 000005